(57)【要約】  様々な通信システムは、不要な送信を適切に抑制することから恩恵を受けることができる。例えば、ある種の位置報知システムは、地理的ロケーションを用いた位置報知ビーコンからのデータ送信を抑制することから恩恵を受けることができる。方法は、乗り物の現在位置を決定することができる。この方法は更に、前記乗り物の前記現在位置を位置報知マスクと比較することができる。この方法は更に、前記乗り物の前記位置を、前記マスクとの前記比較に基づいて条件付きで報知することができる。
2020536315.tif 000002
【特許請求の範囲】
【請求項１】
乗り物の現在位置を決定し、
前記乗り物の前記現在位置を位置報知マスクと比較し、
前記乗り物の前記位置を、前記マスクとの前記比較に基づいて条件付きで報知する、方法。
【請求項２】
前記乗り物は航空機である、請求項１に記載の方法。
【請求項３】
前記乗り物の前記現在位置は、全地球測位システムを用いて決定される、請求項１に記載の方法。
【請求項４】
前記比較は、前記乗り物の前記位置が、乗り物位置報知が許可されている地域内にあるかどうかを決定することを含む、請求項１に記載の方法。
【請求項５】
前記比較は、前記乗り物の前記位置が、乗り物位置報知が禁止されている地域内にあるかどうかを決定することを含む、請求項１に記載の方法。
【請求項６】
前記比較は、前記乗り物の前記位置に対応する地域に合わせた報知レベルを決定することを含む、請求項１に記載の方法。
【請求項７】
前記マスクは動的マスクである、請求項１に記載の方法。
【請求項８】
前記報知は、衛星無線リンクを用いて通信することを含む、請求項１に記載の方法。
【請求項９】
少なくとも１つのプロセッサと、
コンピュータプログラムコードを含む少なくとも１つのメモリと、
を備える装置であって、
前記少なくとも１つのメモリと前記コンピュータプログラムコードは、前記少なくとも１つのプロセッサによって、前記装置に、少なくとも、
乗り物の現在位置を決定させ、
前記乗り物の前記現在位置を位置報知マスクと比較させ、
前記乗り物の前記位置を前記マスクとの前記比較に基づいて条件付きで報知させる、
ように構成されている装置。
【請求項１０】
前記乗り物は航空機である、請求項９に記載の装置。
【請求項１１】
前記乗り物の前記現在位置は、全地球測位システムを用いて決定される、請求項９に記載の装置。
【請求項１２】
前記比較は、前記乗り物の前記位置が、乗り物位置報知が許可されている地域内にあるかどうかを決定することを含む、請求項９に記載の装置。
【請求項１３】
前記比較は、前記乗り物の前記位置が、乗り物位置報知が禁止されている地域内にあるかどうかを決定することを含む、請求項９に記載の装置。
【請求項１４】
前記比較は、前記乗り物の前記位置に対応する地域に合わせた報知レベルを決定することを含む、請求項９に記載の装置。
【請求項１５】
前記マスクは動的マスクである、請求項９に記載の装置。
【請求項１６】
前記報知は、衛星無線リンクを用いて通信することを含む、請求項９に記載の装置。
【請求項１７】
ハードウエア内で実行されると処理を行う命令でエンコードされた、コンピュータが読み取り可能な非一時的な媒体であって、
前記処理は、
乗り物の現在位置を決定し、
前記乗り物の前記現在位置を位置報知マスクと比較し、
前記乗り物の前記位置を前記マスクとの前記比較に基づいて条件付きで報知する、コンピュータが読み取り可能な非一時的な媒体。
【請求項１８】
前記比較は、前記乗り物の前記位置が、乗り物位置報知が許可されている地域内にあるかどうかを決定することを含む、請求項１７に記載の方法。
【請求項１９】
前記比較は、前記乗り物の前記位置が、乗り物位置報知が禁止されている地域内にあるかどうかを決定することを含む、請求項１７に記載の方法。
【請求項２０】
前記比較は、前記乗り物の前記位置に対応する地域に合わせた報知レベルを決定することを含む、請求項１７に記載の方法。
【発明の詳細な説明】
【技術分野】
【０００１】
様々な通信システムは、不要な送信を適切に抑制することから恩恵を受けることができる。例えば、ある種の位置報知システムは、地理的ロケーションを用いた位置報知ビーコンからのデータ送信を抑制することから恩恵を受けることができる。
【背景技術】
【０００２】
位置報知ビーコンは、航空機等の乗り物の安全性という１つの可能な要素を提供する。特に、位置報知ビーコンは、特に地上のレーダーシステムが航空機を常には観測することができない地域で、航空機の監視を補うために役立つことができる。
【０００３】
それでもやはり、位置報知ビーコンを使用するとデータ帯域幅を消費し、位置報知が不必要に行われると位置モニタ用インフラストラクチャに負担を与えうる。
【発明の概要】
【課題を解決するための手段】
【０００４】
本発明の特定の実施例によると、方法は、乗り物の現在位置を決定する。この方法は、更に、乗り物の現在位置を位置報知マスクと比較する。この方法は、更に、乗り物の位置を、マスクとの比較に基づいて条件付きで報知する。
【０００５】
本発明の特定の実施例において、装置は、少なくとも１つのプロセッサと、コンピュータプログラムコードを含む少なくとも１つのメモリとを含む。少なくとも１つのメモリとコンピュータプログラムコードは、少なくとも１つのプロセッサによって、装置に、少なくとも、乗り物の現在位置を決定させるように構成される。少なくとも１つのメモリとコンピュータプログラムコードは、少なくとも１つのプロセッサによって、装置に、少なくとも、乗り物の現在位置を位置報知マスクと比較させるようにも構成される。少なくとも１つのメモリとコンピュータプログラムコードは、少なくとも１つのプロセッサによって、装置に、少なくとも、乗り物の位置をマスクとの比較に基づいて条件付きで報知させるように更に構成される。
【０００６】
本発明の特定の実施例による装置は、乗り物の現在位置を決定する手段を有する。この装置は、乗り物の現在位置を位置報知マスクと比較する手段を有する。この装置は、乗り物の位置を、マスクとの比較に基づいて条件付きで報知する手段を更に有する。
【０００７】
コンピュータが読み取り可能な非一時的な媒体は、本発明の特定の実施例において、ハードウエア内で実行されると処理を行う命令でエンコードする。この処理は、乗り物の現在位置を決定する。この処理は、乗り物の現在位置を位置報知マスクと比較する。この処理は、更に、乗り物の位置をマスクとの比較に基づいて条件付きで報知する。
【図面の簡単な説明】
【０００８】
【図１】図１は、本発明の特定の実施例による例示的な方法を示す。
【図２】図２は、本発明の特定の実施例による例示的なシステムを示す。
【発明を実施するための形態】
【０００９】
発明の適切な理解のために、添付図面を参照すべきである。
【００１０】
本発明の特定の実施例は、航空機の位置を報知する航空機ビーコンの負担を最小化する方法を提供する。特に、特定の実施例は、位置報知を受信し、記憶し、受信した位置報知を送信するために使用されるインフラストラクチャに不必要に負担がかからないようにする方法を提供する。
【００１１】
図１は、本発明の特定の実施例による例示的な方法を示す。図１に示すように、この方法は、１１０で、乗り物の現在位置を決定することを含むことができる。乗り物は航空機でありうる。例えば、乗り物は、飛行機、ヘリコプター、無人航空機、飛行船、又は他のどんな空中の乗り物でもありうる。現在の位置は、全地球測位システム（ＧＰＳ）、又は他の任意の所望のシステム、若しくは無線ビーコンからの三角測量による等の技術を用いて決定することができる。
【００１２】
この方法は、１２０で、乗り物の現在位置を位置報知マスクと比較することを含むこともできる。この比較は、任意の所望の技術を用いて行うことができる。例えば、この比較は、乗り物の位置が報知許可地域内かどうかを決定すること、又は乗り物の位置が報知禁止地域内かどうかを決定することを含むことができる。報知許可地域は、乗り物位置報知が許可されている地域とすることができ、一方、報知禁止地域は、乗り物位置報知が禁止されている地域とすることができる。報知は、本発明の特定の実施例においては、報知許可地域、または報知が禁止されていない地域で必須としてもよい。
【００１３】
本発明の他の実施例においては、比較は、乗り物の位置に対応する地域に合わせた報知レベルを決定することを伴うことができる。報知のレベルは、特定の頻度で報知したり、又は報知をほとんど無くすることができる。例えば、本発明の特定の実施例においては、地上での監視がほとんど又は全くない所では報知度合いを高くし、乗り物の地上での監視が行われていると予測される所では、報知度合いを低くしてもよい。
【００１４】
本発明の特定の実施例においては、マスクは、予め決定された静的マスクにすることができる。しかしながら、この代わりに、マスクを動的マスクとすることができる。動的マスクは、地上での監視が最近行われたいかなる形跡、又は最近のものかそれ以外のものかを問わない他のいかなる望ましい形跡も考慮に入れることができる。地上局からの通信又は一次レーダーの照射が検出された等の、地上での監視の形跡がある場合、マスクは、報知を完全に又は部分的に抑制してもよい。しかしながら、地上での監視の形跡がない場合、マスクは報知を許可又は報知度合いを高めてよい。
【００１５】
方法は、乗り物の位置を、マスクとの比較に基づいて条件付きで報知することを、１３０で更に含むことができる。例えば、報知を行うべきではない、又は報知をより少ない頻度で行うべき所に乗り物があることをマスクが示すときには、報知を不確定的に抑制してもよい。
【００１６】
位置報知は、例えば、乗り物の位置を報知する衛星通信に依存してもよい。こうして、衛星無線リンクを使用して位置報知を通信することができる。
【００１７】
様々な実装が可能である。例えば、位置報知が不要な地域にビーコンが位置しているときには、乗り物位置報知ビーコンからのデータ送信を抑制することができる。ビーコンは、位置報知を必要としない地域を示す、地図データベース、ユーザが定義したマスク地域、又は他の任意の所望の手段によって定義されたマスク地域を組み込むことができる。ビーコンは、現在の乗り物のロケーションを地図データベース内のマスク地域と比較して、位置報知を送信すべきかどうかを決定することができる。地図データベース内のマスク地域は、最初に提供する位置報知要件を定義し、ユーザ定義等によるマスク地域更新によって更新することができる。
【００１８】
マスクされた地域は、例えば、地上の監視レーダー又は他の追跡方法によって対象とされた地域とすることができる。マスキングを使用すると、他の追跡方法によって対象とされていない地域にいる間は完全な位置報知を許容しつつ、データ送信度合いを減らすことができる。この対象とされていない地域には、例えば、他の追跡方法によって対象とされていない海洋域、極地域、他の原生自然環境保全地域、又は他の地域を含めることができる。このようにビーコンは、大容量のデータ送信及びストレージリソースを負担することなく、広範に実装することができる。
【００１９】
図２は、本発明の特定の実施例による例示的なシステムを示す。図１の例示的な方法の各ブロックは、ハードウエア、ソフトウエア、ファームウエア、１つ以上のプロセッサ及び／又は回路構成等の様々な手段又はこれらの組み合わせによって実施することができることを理解すべきである。本発明の一実施例において、システムは、例えばデバイス２１０及び測位デバイス２２０等の幾つかのデバイスを含んでよい。システムは、２つ以上の測位デバイス２２０及び２つ以上のデバイス２１０を含んでよいが、説明のためにそれぞれ１つしか図示していない。デバイス２１０は、アビオニクスシステムの列線交換ユニット等の、任意の適したアビオニクスハードウエアであってよい。測位デバイス２２０は、システムを搭載している乗り物の位置を決定するための任意の所望のデバイスでよく、例えばＧＰＳデバイス等でよい。
【００２０】
デバイス２１０は、２１４と示された、少なくとも１つのプロセッサ又は制御ユニット若しくはモジュールを含んでよい。デバイス２１０には、２１５と示された少なくとも１つのメモリを設けてよい。メモリ２１５は、例えば本発明の上述したような実施例を実行するための、コンピュータプログラム命令、又はその中に含まれたコンピュータコードを備えてよい。１つ以上の送受信機２１６を設けてもよく、デバイス２１０は、２１７と示されたアンテナを備えてもよい。１つのアンテナしか図示されていないが、多数のアンテナ及び複数のアンテナ要素をデバイス２１０のために設けてもよい。例えば、デバイス２１０の他の構成を設けてもよい。例えば、デバイス２１０は、無線通信に加えて、（測位デバイス２２０との接続が図示するように）有線通信用に構成してもよい。そのような場合、アンテナ２１７は、いかなる形態の通信ハードウエアを示してよく、アンテナだけに限定されることはない。
【００２１】
送受信機２１６は、送信機、受信機、若しくは送信機及び受信機の両方、又は送信及び受信の両方用に構成することができるユニット若しくはデバイスでよい。
【００２２】
プロセッサ２１４は、中央演算処理装置（ＣＰＵ）、デジタル信号プロセッサ（ＤＳＰ）、特定用途向け集積回路（ＡＳＩＣ）、プログラマブルロジックデバイス（ＰＬＤ）、フィールドプログラマブルゲートアレイ（ＦＰＧＡ）、デジタル強調回路、若しくは同等のデバイス、又はこれらの組み合わせ等の、いかなる演算処理デバイス又はデータ処理デバイスによって具体化してよい。プロセッサ２１４は、１つの制御装置、又は複数の制御装置若しくはプロセッサとして実装されてよい。加えて、プロセッサ２１４は、ローカル構成、クラウド構成、又はこれらの組み合わせにおけるプロセッサのプールとして実装されてもよい。「回路構成」という語は、１つ以上の電気回路又は電子回路を表してよい。「プロセッサ」という語は、コンピュータを駆動する命令に応答し且つこの命令を処理する、ロジック回路構成等の回路構成を表してよい。
【００２３】
ファームウエア又はソフトウエアの場合、実装は、少なくとも１つのチップセットのモジュール又はユニット（例えば、プロシージャ、関数等）を含んでよい。メモリ２１５は、コンピュータが読み取り可能な非一時的な媒体等の、任意の適した記憶デバイスでよい。ハードディスクドライブ（ＨＤＤ）、ランダムアクセスメモリ（ＲＡＭ）、フラッシュメモリ、又は他の適したメモリを使用してよい。メモリ２１５はプロセッサとして１つの集積回路で組み合わせてもよく、又はプロセッサからは別体としてもよい。さらに、メモリ２１５に記憶してプロセッサ２１４で処理することができるコンピュータプログラム命令は、適した形態のコンピュータプログラムコードなら何でもよく、例えば、任意の適したプログラミング言語で書かれたコンパイル又は解釈されたコンピュータプログラムである。メモリ２１５又はデータ記憶エンティティは通常は内部だが、追加のメモリ容量がサービスプロバイダーから得られる場合等には、外部、又は内部と外部を組み合わせてもよい。メモリは固定又はリムーバブルでよい。
【００２４】
メモリ２１５及びコンピュータプログラム命令は、デバイス２１０等のハードウエア装置が、特定のデバイス用のプロセッサ２１４によって、上述の処理（例えば、図１を参照）の何れをも実行するように構成してよい。したがって、本発明の特定の実施例においては、ハードウエア内で実行されると、ここに記述した１つ以上の処理等の処理を行う、コンピュータ命令又は１つ以上のコンピュータプログラム（追加又は更新されたソフトウエアルーチン、アプレット又はマクロ等）によって、コンピュータが読み取り可能な非一時的な媒体をエンコードすることができる。コンピュータプログラムは、どんなプログラミング言語でコード化してもよい。プログラミング言語は、オブジェクティブＣ、Ｃ、Ｃ＋＋、Ｃ＃、Ｊａｖａ（登録商標）等の高レベルプログラミング言語、又は機械語等の低レベルプログラミング言語若しくはアセンブラでよい。これに代えて、本発明の特定の実施例は、その全体をハードウエア内で行ってもよい。
【００２５】
当業者は、上記の発明が、異なる順序のステップで、及び／又は開示された構成とは異なる構成のハードウエア要素で実施することができることを容易に理解するであろう。したがって、これらの開示された実施例に基づいて発明を記載してきたが、特定の変更例、変更形態、及び代替構成が、本発明の趣旨及び範囲内のままで明白であることは当業者には明白であろう。
【符号の説明】
【００２６】
２１０…デバイス、２１４…プロセッサ、２１５…メモリ、２１６…送受信機、２１７…アンテナ、２２０…測位デバイス。
【図１】
2020536315.tif 000003
【図２】
2020536315.tif 000004
【国際調査報告】
2020536315.tif 000005
2020536315.tif 000006